【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
放射線療法のためのシステムであって、前記システムは、
回転可能ガントリー；
前記回転可能ガントリーに連結されたガントリー位置センサー；
前記回転可能ガントリーに搭載されており、前記ガントリーを回転させることによって複数のガントリー発射位置に移動可能である、治療用放射線源；
前記治療用放射線源の放射線ビームパスに配置された放射線検出器；
前記治療用放射線源の前記放射線ビームパスに配置されたビーム成形コンポーネントであって、前記ビーム成形コンポーネントは、所定のサイズおよび形状を有する放射線透過アパーチャを有するように構成される、ビーム成形コンポーネント；
前記放射線透過アパーチャの前記サイズおよび形状を検出するように構成される、ビーム成形コンポーネントセンサー；および
コントローラと通信しているディスプレイ
を備え、ここで、
前記コントローラは、計画された放射線送達メトリックの値を経時的に記憶する機械可読の記憶媒体、ならびに
放射線送達セッション中に前記ガントリー位置センサーおよび／または放射線検出器および／またはビーム成形コンポーネントセンサーから取得されたデータに基づいて、前記放射線送達セッション中の複数の時点において前記放射線送達メトリックのリアルタイム値を計算するように構成され、
前記複数の時点にわたる、前記計画された放射線送達メトリック値および前記リアルタイムの放射線送達メトリック値を示すグラフィック表示を生成するように構成され、および
前記グラフィック表示を前記ディスプレイに出力するように構成されるプロセッサ
を備える、システム。
【請求項２】
前記機械可読の記憶媒体が、前記計画された放射線送達メトリックの値の予め選択された範囲をさらに記憶し、前記プロセッサが、計画された放射線送達メトリックの前記予め選択された範囲のグラフィック表示を生成するように構成される、請求項１に記載のシステム。
【請求項３】
前記プロセッサが、約１５分ごとまたはそれ未満ごとに、前記放射線送達メトリックのリアルタイム値を計算するように構成され、前記グラフィック表示を生成するように構成され、および前記グラフィック表示を前記ディスプレイに出力するように構成される、請求項１〜２のいずれか１項に記載のシステム。
【請求項４】
前記コントローラが、前記計画された放射線送達メトリックと前記放射線送達メトリックのリアルタイム値とを比較するように構成され、前記リアルタイム値が前記計画された放射線送達メトリックの値の前記予め選択された範囲内であるか否かを示すグラフィック表示を生成するように構成される、請求項２に記載のシステム。
【請求項５】
前記リアルタイムの放射線送達メトリックが、前記計画された放射線送達メトリックの前記予め選択された範囲外である場合に、前記コントローラが、放射線送達を停止するためのコマンドシグナルを生成するように構成される、請求項４に記載のシステム。
【請求項６】
前記リアルタイムの放射線送達メトリックが、前記計画された放射線送達メトリックの前記予め選択された範囲の境界の近傍にあるとき、前記コントローラが、警告を生成し、前記警告を前記ディスプレイに出力するように構成される、請求項４に記載のシステム。
【請求項７】
前記プロセッサが、約１０秒ごとまたはそれ未満ごとに、前記放射線送達メトリックのリアルタイム値を計算するように構成され、前記グラフィック表示を生成するように、および前記グラフィック表示を前記ディスプレイに出力するように構成される、請求項３に記載のシステム。
【請求項８】
前記放射線送達メトリックが、前記ガントリー位置センサー、前記放射線検出器、前記ビーム成形コンポーネントセンサーおよび／または患者もしくはファントムの画像によって前記放射線送達セッション中に取得されたデータを用いて生成された線量−体積メトリックである、上記の請求項のいずれか１項に記載のシステム。
【請求項９】
前記放射線送達メトリックが、等線量輪郭を含み、前記グラフィック表示が、前記患者またはファントムの前記画像に重ね合わせた等線量輪郭線を含む、請求項８に記載のシステム。
【請求項１０】
前記画像が、前記放射線送達セッション中に取得された前記患者またはファントムの構造像を含む、請求項９に記載のシステム。
【請求項１１】
前記画像が、前記放射線送達セッション中に取得された前記患者またはファントムのＰＥＴスキャンおよび／またはＣＴスキャンである、請求項１０に記載のシステム。
【請求項１２】
前記患者またはファントムの前記画像が、前記放射線送達セッション前に取得された前記患者またはファントムの構造像を含む、請求項８に記載のシステム。
【請求項１３】
前記放射線送達メトリックが、ボリュメトリックな線量蓄積を含み、前記グラフィック表示が、線量体積ヒストグラムを含む、請求項８に記載のシステム。
【請求項１４】
前記線量体積ヒストグラムが、前記放射線送達セッション内に所定の時間間隔で更新される、請求項１３に記載のシステム。
【請求項１５】
前記グラフィック表示が、計画された線量体積ヒストグラム、および線量体積ヒストグラム値の予め選択された範囲を描いている１つ以上の境界を含む、請求項１３に記載のシステム。
【請求項１６】
前記放射線送達メトリックが、線量勾配ビルドアップを含み、前記グラフィック表示が、前記患者またはファントムの前記画像に重ね合わせた線量勾配を含む、請求項８に記載のシステム。
【請求項１７】
経時的な前記計画された放射線送達メトリックが、処置計画の通り、各ガントリー発射位置に対する前記ビーム成形コンポーネントの前記放射線透過アパーチャのサイズおよび形状を指定する第１のシノグラムを含み、
前記グラフィック表示が、前記第１のシノグラム、ならびに前記放射線送達セッション中に前記ビーム成形コンポーネントセンサーおよび前記ガントリー位置センサーから取得されたデータを用いて、各ガントリー発射位置に対する前記放射線透過アパーチャのサイズおよび形状を表す第２のシノグラムを含む、
上記の請求項のいずれか１項に記載のシステム。
【請求項１８】
前記ビーム成形コンポーネントが、複数のリーフを有するダイナミックマルチリーフコリメータ（ＭＬＣ）を備え、前記ビーム成形コンポーネントセンサーが、前記複数のリーフに連結された複数のリーフ位置センサーおよび／またはリーフモーションセンサーを備え、前記第１のシノグラムが、セグメント化された処置計画フルエンスマップに基づいて各ガントリー発射位置に対して前記複数のリーフの位置を指定し、前記第２のシノグラムが、前記複数のリーフ位置センサーおよび／またはリーフモーションセンサーならびに前記ガントリー位置センサーからのデータを用いて各ガントリー発射位置に対する前記複数のリーフの位置を表す、請求項１７に記載のシステム。
【請求項１９】
前記システムが、前記ガントリーの開口部内の複数のプラットフォーム位置を経て移動可能な、および前記ガントリーの回転軸に沿って移動可能な、患者プラットフォームをさらに備え、前記グラフィック表示が、前記複数のプラットフォーム位置の各々に対する前記第１のシノグラムと前記第２のシノグラムとの組み合わせである３Ｄシノグラムをさらに含む、請求項１７に記載のシステム。
【請求項２０】
前記グラフィック表示が、疑似カラー発射マップを含み、ここで、前記疑似カラー発射マップ内の各セルの強度は、前記放射線送達セッション中に取得された、前記ガントリー位置センサー、放射線検出器ならびにリーフ位置センサーおよび／またはリーフモーションセンサーからのデータを用いて計算された、各ガントリー発射位置における各ＭＬＣリーフに対する放射線送達の頻度または強度を表す、請求項１８に記載のシステム。
【請求項２１】
前記放射線送達メトリックのリアルタイム値が、前記放射線送達セッション中に取得された、前記ガントリー位置センサー、放射線検出器ならびにリーフ位置センサーおよび／またはリーフモーションセンサーからのデータを用いて生成された放射線量分布であり、前記グラフィック表示が、前記ガントリーの回転軸に沿ったガントリー開口部内の前記放射線量分布のシミュレートビューをさらに含む、請求項１７に記載のシステム。
【請求項２２】
前記シミュレートビューが、前記放射線送達セッション中の前記放射線源の放射線ビームパスを可視化する、請求項２１に記載のシステム。
【請求項２３】
前記シミュレートビューが、前記ガントリー開口部内の線量蓄積を可視化する、請求項２１に記載のシステム。
【請求項２４】
前記放射線検出器が、電離箱を備える、上記の請求項のいずれか１項に記載のシステム。
【請求項２５】
前記回転可能ガントリーが、回転子エレメントを有する回転可能リングおよび固定子エレメントを有する固定フレームを備え、前記ガントリー位置センサーが、前記回転子エレメントおよび前記固定子エレメントの相対位置を検出するように構成されるエンコーダーを備える、上記の請求項のいずれか１項に記載のシステム。
【請求項２６】
前記ガントリー位置センサーが、傾斜計および／または加速度計を備える、上記の請求項のいずれか１項に記載のシステム。
【請求項２７】
放射線送達をモニターするための方法であって、前記方法は、
放射線送達セッション中の複数の時点において放射線治療システムセンサーからリアルタイム放射線送達データを取得することと、
前記リアルタイム放射線送達データに基づいて放射線送達メトリックの値を計算することと、
前記複数の時点にわたる、前記放射線送達メトリックの値および前記放射線送達メトリックの計画された値を示すグラフィック表示を生成することと、
前記グラフィック表示をディスプレイに出力することと
を含む、方法。
【請求項２８】
前記放射線送達メトリックは、線量メトリックである、請求項２７に記載の方法。
【請求項２９】
前記放射線送達メトリックは、累積の送達された線量を反映し、前記グラフィック表示は、前記複数の時点にわたる線量勾配プロットを含む、請求項２８に記載の方法。
【請求項３０】
前記グラフィック表示は、患者標的領域の外形とオーバーレイされた前記線量勾配プロットを含む、請求項２９に記載の方法。
【請求項３１】
前記グラフィック表示は、前記複数の時点にわたる等線量輪郭を含む、請求項２８に記載の方法。
【請求項３２】
前記グラフィック表示は、前記複数の時点にわたる線量−体積プロットを含む、請求項２８に記載の方法。
【請求項３３】
前記グラフィック表示は、前記複数の時点にわたる線量−体積ヒストグラム（ＤＶＨ）を含む、請求項３２に記載の方法。
【請求項３４】
前記グラフィック表示は、前記複数の時点にわたる有界のＤＶＨを含む、請求項３３に記載の方法。
【請求項３５】
前記グラフィック表示は、前記放射線送達メトリックの前記計画された値と、前記リアルタイム放射線送達データに基づいて計算された前記放射線送達メトリックの値との間の差をさらに示す、請求項２７に記載の方法。
【請求項３６】
前記放射線送達セッションの前に、前記複数の時点にわたる前記放射線送達メトリックの前記計画された値を計算することをさらに含む、請求項２７に記載の方法。
【請求項３７】
前記グラフィック表示は、解剖学的患者画像に重ね合わせられる、前記放射線送達メトリックの値および前記放射線送達メトリックの計画された値を示す、請求項２７に記載の方法。
【請求項３８】
前記グラフィック表示は、患者標的領域に重ね合わせられる、前記放射線送達メトリックの値および前記放射線送達メトリックの計画された値を示す、請求項２７に記載の方法。
【請求項３９】
前記放射線治療システムセンサーは、治療用放射線源の電離箱、ＭＶ検出器、前記放射線治療システムのビーム成形コンポーネントと関連付けられた位置および／またはモーションセンサー、ガントリーおよび／または前記治療用放射線源と関連付けられた位置および／またはモーションセンサー、ならびにイメージングシステムからのイメージングデータのうちの１つ以上を含む、請求項２７に記載の方法。
【請求項４０】
前記放射線送達メトリックの値を前記放射線送達メトリックの前記計画された値と比較することと、前記放射線送達メトリックの値が前記計画された放射線送達メトリックの値の予め選択された範囲内にあるか否かを示すグラフィック表示を生成することとをさらに含む、請求項２７に記載の方法。
【請求項４１】
前記放射線送達メトリックの値が前記計画された放射線送達メトリックの前記予め選択された範囲外である場合、放射線送達を停止するためのコマンドシグナルを生成することをさらに含む、請求項４０に記載の方法。
【請求項４２】
放射線処置セッション中に、前記グラフィック表示を生成することと、前記グラフィック表示を前記ディスプレイに出力することとが生じる、請求項２７に記載の方法。
【請求項４３】
品質保証（ＱＡ）セッション中に、前記グラフィック表示を生成することと、前記グラフィック表示を前記ディスプレイに出力することとが生じる、請求項２７に記載の方法。
【請求項４４】
前記放射線セッション中の前記複数の時点は、約１５分以下の間隔である、請求項２７に記載の方法。
【請求項４５】
前記放射線セッション中の前記複数の時点は、約１０秒以下の間隔である、請求項４４に記載の方法。
【請求項４６】
前記放射線治療システムは、ガントリー位置センサーを備える回転可能なガントリーと、前記ガントリー上に搭載され、かつ複数のガントリー発射位置に移動可能である、治療用放射線源と、放射線検出器と、前記治療用放射線源の放射線ビームパスに配置され、ビーム成形コンポーネントセンサーを有する、ビーム成形コンポーネントとを備え、
前記リアルタイム放射線送達データは、前記ガントリー位置センサー、前記放射線検出器、前記ビーム成形コンポーネントセンサー、および／または前記複数の時点における画像データからのデータを含む、請求項２７に記載の方法。
【請求項４７】
前記解剖学的患者画像は、前記患者のＰＥＴおよび／またはＣＴスキャンである、請求項３７に記載の方法。
【請求項４８】
前記放射線治療システムは、ガントリー位置センサーを備える回転可能なガントリーと、前記ガントリー上に搭載され、かつ複数のガントリー発射位置に移動可能である、治療用放射線源と、前記治療用放射線源の放射線ビームパスに配置され、ビーム成形コンポーネントセンサーを有する、ビーム成形コンポーネントとを備え、
前記リアルタイム放射線送達データは、前記ビーム成形コンポーネントセンサーおよび前記ガントリー位置センサーからのデータを含み、
前記複数の時点にわたる前記計画された放射線送達メトリックは、処置計画に従って、各ガントリー発射位置に対する前記ビーム成形コンポーネントの放射線透過アパーチャのサイズおよび形状を指定する第１のシノグラムを含み、
前記グラフィック表示は、前記第１のシノグラムと、前記リアルタイム放射線送達データを用いて、各ガントリー発射位置に対する前記放射線透過アパーチャの前記サイズおよび形状を表す第２のシノグラムとを含む、請求項２７に記載の方法。
【請求項４９】
前記ビーム成形コンポーネントは、複数のリーフを有するダイナミックマルチリーフコリメータ（ＭＬＣ）を備え、前記ビーム成形コンポーネントセンサーは、前記複数のリーフに連結された複数のリーフ位置および／またはモーションセンサーを備え、
前記第１のシノグラムは、セグメント化された処置計画フルエンスマップに基づいて各ガントリー発射位置に対して前記複数のリーフの位置を指定し、前記第２のシノグラムは、前記複数のリーフ位置および／またはモーションセンサーならびに前記ガントリー位置センサーからのデータを用いて各ガントリー発射位置に対する前記複数のリーフの位置を表す、請求項４８に記載の方法。
【請求項５０】
前記放射線治療システムは、前記ガントリーの開口部内の複数のプラットフォーム位置を通して、および前記ガントリーの回転軸に沿って移動可能な患者プラットフォームをさらに備え、前記グラフィック表示は、前記複数のプラットフォーム位置の各々に対する前記第１のシノグラムと前記第２のシノグラムとの組み合わせである３Ｄシノグラムをさらに含む、請求項４８に記載の方法。
【請求項５１】
前記リアルタイム放射線送達データは、前記ガントリー位置センサー、前記放射線治療システムの放射線検出器、ならびに前記リーフ位置および／またはモーションセンサーからのデータを含み、
前記グラフィック表示は、疑似カラー発射マップを含み、前記疑似カラー発射マップ内の各セルの強度は、前記リアルタイム放射線送達データを用いて計算された、各ガントリー発射位置における各ＭＬＣリーフに対する放射線送達の頻度または強度を表す、請求項４９に記載の方法。
【請求項５２】
前記ビーム成形コンポーネントは、複数のリーフを備えるダイナミックマルチリーフコリメータ（ＭＬＣ）と、前記複数のリーフに連結された複数のリーフ位置および／またはモーションセンサーとを備え、
前記リアルタイム放射線送達データは、前記ガントリー位置センサー、前記放射線検出器、ならびに前記リーフ位置および／またはモーションセンサーからのデータを含み、
前記放射線送達メトリックの値は、前記リアルタイム放射線送達データを用いて生成された放射線量分布であり、前記グラフィック表示は、前記ガントリーの回転軸に沿ったガントリー開口部内の前記放射線量分布のシミュレートされたビューをさらに含む、請求項４６に記載の方法。
【請求項５３】
前記シミュレートされたビューは、前記放射線送達セッション中に前記放射線源の放射線ビームパスを可視化する、請求項５２に記載の方法。
【手続補正２】
【補正対象書類名】明細書
【補正対象項目名】０００９
【補正方法】変更
【補正の内容】
【０００９】
上記放射線検出器は、電離箱を備え得る。上記回転可能ガントリーは、回転子エレメントを有する回転可能リングおよび固定子エレメントを有する固定フレームを備え得、ガントリー位置センサーは、回転子エレメントおよび固定子エレメントの相対位置を検出するように構成されるエンコーダーを備え得る。いくつかのバリエーションにおいて、ガントリー位置センサーは、傾斜計および／または加速度計を備え得る。
本願明細書は、例えば、以下の項目も提供する。
（項目１）
放射線療法のためのシステムであって、前記システムは、
回転可能ガントリー；
前記回転可能ガントリーに連結されたガントリー位置センサー；
前記回転可能ガントリーに搭載されており、前記ガントリーを回転させることによって複数のガントリー発射位置に移動可能である、治療用放射線源；
前記治療用放射線源の放射線ビームパスに配置された放射線検出器；
前記治療用放射線源の前記放射線ビームパスに配置されたビーム成形コンポーネントであって、前記ビーム成形コンポーネントは、所定のサイズおよび形状を有する放射線透過アパーチャを有するように構成される、ビーム成形コンポーネント；
前記放射線透過アパーチャの前記サイズおよび形状を検出するように構成される、ビーム成形コンポーネントセンサー；および
コントローラと通信しているディスプレイ
を備え、ここで、
前記コントローラは、計画された放射線送達メトリックの値を経時的に記憶する機械可読の記憶媒体、ならびに
放射線送達セッション中に前記ガントリー位置センサーおよび／または放射線検出器および／またはビーム成形コンポーネントセンサーから取得されたデータに基づいて、前記放射線送達セッション中の複数の時点において前記放射線送達メトリックのリアルタイム値を計算するように構成され、
前記計画された放射線送達メトリック値および前記複数の時点にわたる前記リアルタイムの放射線送達メトリック値を示すグラフィック表示を生成するように構成され、および
前記グラフィック表示を前記ディスプレイに出力するように構成されるプロセッサ
を備える、システム。
（項目２）
前記機械可読の記憶媒体が、前記計画された放射線送達メトリックの値の予め選択された範囲をさらに記憶し、前記プロセッサが、計画された放射線送達メトリックの前記予め選択された範囲のグラフィック表示を生成するように構成される、項目１に記載のシステム。
（項目３）
前記プロセッサが、約１５分ごとまたはそれ未満ごとに、前記放射線送達メトリックのリアルタイム値を計算するように構成され、前記グラフィック表示を生成するように構成され、および前記グラフィック表示を前記ディスプレイに出力するように構成される、項目１〜２のいずれか１項に記載のシステム。
（項目４）
前記コントローラが、前記計画された放射線送達メトリックと前記放射線送達メトリックのリアルタイム値とを比較するように構成され、前記リアルタイム値が前記計画された放射線送達メトリックの値の前記予め選択された範囲内であるか否かを示すグラフィック表示を生成するように構成される、項目２に記載のシステム。
（項目５）
前記リアルタイムの放射線送達メトリックが、前記計画された放射線送達メトリックの前記予め選択された範囲外である場合に、前記コントローラが、放射線送達を停止するためのコマンドシグナルを生成するように構成される、項目４に記載のシステム。
（項目６）
前記リアルタイムの放射線送達メトリックが、前記計画された放射線送達メトリックの前記予め選択された範囲の境界の近傍にあるとき、前記コントローラが、警告を生成し、前記警告を前記ディスプレイに出力するように構成される、項目４に記載のシステム。
（項目７）
前記プロセッサが、約１０秒ごとまたはそれ未満ごとに、前記放射線送達メトリックのリアルタイム値を計算するように構成され、前記グラフィック表示を生成するように、および前記グラフィック表示を前記ディスプレイに出力するように構成される、項目３に記載のシステム。
（項目８）
前記放射線送達メトリックが、前記ガントリー位置センサー、前記放射線検出器、前記ビーム成形コンポーネントセンサーおよび／または患者もしくはファントムの画像によって前記放射線送達セッション中に取得されたデータを用いて生成された線量−体積メトリックである、上記の項目のいずれか１項に記載のシステム。
（項目９）
前記放射線送達メトリックが、等線量輪郭を含み、前記グラフィック表示が、前記患者またはファントムの前記画像に重ね合わせた等線量輪郭線を含む、項目８に記載のシステム。
（項目１０）
前記画像が、前記放射線送達セッション中に取得された前記患者またはファントムの構造像を含む、項目９に記載のシステム。
（項目１１）
前記画像が、前記放射線送達セッション中に取得された前記患者またはファントムのＰＥＴスキャンおよび／またはＣＴスキャンである、項目１０に記載のシステム。
（項目１２）
前記患者またはファントムの前記画像が、前記放射線送達セッション前に取得された前記患者またはファントムの構造像を含む、項目８に記載のシステム。
（項目１３）
前記放射線送達メトリックが、ボリュメトリックな線量蓄積を含み、前記グラフィック表示が、線量体積ヒストグラムを含む、項目８に記載のシステム。
（項目１４）
前記線量体積ヒストグラムが、前記放射線送達セッション内に所定の時間間隔で更新される、項目１３に記載のシステム。
（項目１５）
前記グラフィック表示が、計画された線量体積ヒストグラム、および線量体積ヒストグラム値の予め選択された範囲を描いている１またはそれを超える境界を含む、項目１３に記載のシステム。
（項目１６）
前記放射線送達メトリックが、線量勾配ビルドアップを含み、前記グラフィック表示が、前記患者またはファントムの前記画像に重ね合わせた線量勾配を含む、項目８に記載のシステム。
（項目１７）
経時的な前記計画された放射線送達メトリックが、処置計画の通り、各ガントリー発射位置に対する前記ビーム成形コンポーネントの前記放射線透過アパーチャのサイズおよび形状を指定する第１のシノグラムを含み、
前記グラフィック表示が、前記第１のシノグラム、ならびに前記放射線送達セッション中に前記ビーム成形コンポーネントセンサーおよび前記ガントリー位置センサーから取得されたデータを用いて、各ガントリー発射位置に対する前記放射線透過アパーチャのサイズおよび形状を表す第２のシノグラムを含む、
上記の項目のいずれか１項に記載のシステム。
（項目１８）
前記ビーム成形コンポーネントが、複数のリーフを有するダイナミックマルチリーフコリメータ（ＭＬＣ）を備え、前記ビーム成形コンポーネントセンサーが、前記複数のリーフに連結された複数のリーフ位置センサーおよび／またはリーフモーションセンサーを備え、前記第１のシノグラムが、セグメント化された処置計画フルエンスマップに基づいて各ガントリー発射位置に対して前記複数のリーフの位置を指定し、前記第２のシノグラムが、前記複数のリーフ位置センサーおよび／またはリーフモーションセンサーならびに前記ガントリー位置センサーからのデータを用いて各ガントリー発射位置に対する前記複数のリーフの位置を表す、項目１７に記載のシステム。
（項目１９）
前記システムが、前記ガントリーの開口部内の複数のプラットフォーム位置を経て移動可能な、および前記ガントリーの回転軸に沿って移動可能な、患者プラットフォームをさらに備え、前記グラフィック表示が、前記複数のプラットフォーム位置の各々に対する前記第１のシノグラムと前記第２のシノグラムとの組み合わせである３Ｄシノグラムをさらに含む、項目１７に記載のシステム。
（項目２０）
前記グラフィック表示が、疑似カラー発射マップを含み、ここで、前記疑似カラー発射マップ内の各セルの強度は、前記放射線送達セッション中に取得された、前記ガントリー位置センサー、放射線検出器ならびにリーフ位置センサーおよび／またはリーフモーションセンサーからのデータを用いて計算された、各ガントリー発射位置における各ＭＬＣリーフに対する放射線送達の頻度または強度を表す、項目１８に記載のシステム。
（項目２１）
前記放射線送達メトリックのリアルタイム値が、前記放射線送達セッション中に取得された、前記ガントリー位置センサー、放射線検出器ならびにリーフ位置センサーおよび／またはリーフモーションセンサーからのデータを用いて生成された放射線量分布であり、前記グラフィック表示が、前記ガントリーの回転軸に沿ったガントリー開口部内の前記放射線量分布のシミュレートビューをさらに含む、項目１７に記載のシステム。
（項目２２）
前記シミュレートビューが、前記放射線送達セッション中の前記放射線源の放射線ビームパスを可視化する、項目２１に記載のシステム。
（項目２３）
前記シミュレートビューが、前記ガントリー開口部内の線量蓄積を可視化する、項目２１に記載のシステム。
（項目２４）
前記放射線検出器が、電離箱を備える、上記の項目のいずれか１項に記載のシステム。
（項目２５）
前記回転可能ガントリーが、回転子エレメントを有する回転可能リングおよび固定子エレメントを有する固定フレームを備え、前記ガントリー位置センサーが、前記回転子エレメントおよび前記固定子エレメントの相対位置を検出するように構成されるエンコーダーを備える、上記の項目のいずれか１項に記載のシステム。
（項目２６）
前記ガントリー位置センサーが、傾斜計および／または加速度計を備える、上記の項目のいずれか１項に記載のシステム。